【手続補正書】
【提出日】平成28年3月23日(2016.3.23)
【手続補正１】
【補正対象書類名】特許請求の範囲
【補正対象項目名】全文
【補正方法】変更
【補正の内容】
【特許請求の範囲】
【請求項１】
像担持体と、前記像担持体にトナー像を形成するトナー像形成手段と、前記像担持体と対向する転写位置に被転写体を搬送する搬送手段と、前記像担持体に担持されたトナー像を前記被転写体上に転写する転写手段と、前記転写手段に転写バイアスを印加する転写バイアス印加手段と、前記被転写体上のトナー像を定着する定着手段と、を備えた画像形成装置であって、
前記搬送手段は、前記転写位置の被転写体搬送方向の上流側から該転写位置にわたって前記被転写体の被転写面とは反対側の面を前記搬送部材で保持しながら該被転写体を搬送するように構成し、
前記転写バイアス印加手段は、交流成分と直流成分とを含み極性が交互に切り替わる転写バイアスを印加し、
前記搬送部材及び該搬送部材に保持された前記被転写体が前記転写位置において前記像担持体と非接触となるように構成した、ことを特徴とする画像形成装置。
【請求項２】
請求項１の画像形成装置において、
前記搬送手段は、前記転写位置の被転写体搬送方向の上流側から下流側にわたって前記被転写体の被転写面とは反対側の面を前記搬送部材で保持しながら該被転写体を搬送するように構成したことを特徴とする画像形成装置。
【請求項３】
請求項１又は２の画像形成装置において、
前記搬送手段は、前記搬送部材に前記被転写体を接着させる接着手段を有することを特徴とする画像形成装置。
【請求項４】
請求項１又は２の画像形成装置において、
前記搬送手段は、前記搬送部材としての無端ベルト状の転写搬送ベルトと、該転写搬送ベルトに電荷を付与し前記被転写体を静電的に該転写搬送ベルトに吸着させる吸着手段と、を有することを特徴とする画像形成装置。
【請求項５】
請求項１乃至４のいずれかの画像形成装置において、
前記転写バイアス印加手段は、前記転写バイアスの極性が繰り返し反転するように、前記交流成分の振幅と前記直流成分の電圧とを設定したことを特徴とする画像形成装置。
【請求項６】
請求項３又は５の画像形成装置において、
前記接着手段は、前記搬送部材の被転写体を保持する表面に接着剤を塗布する塗布手段を有することを特徴とする画像形成装置。
【請求項７】
請求項１乃至６のいずれかの画像形成装置において、
前記被転写体として布を用いることを特徴とする画像形成装置。
【請求項８】
請求項４、５又は７の画像形成装置において、
前記吸着手段は、前記転写搬送ベルトに接着して電荷を付与する接触型電荷付与部材であることを特徴とする画像形成装置。
【請求項９】
請求項４、５又は７の画像形成装置において、
前記吸着手段は、非接触の帯電チャージャであることを特徴とする画像形成装置。
【請求項１０】
請求項１乃至９のいずれかの画像形成装置において、
前記転写位置の前記被転写体の搬送方向下流側に、前記搬送部材の除電を行う除電手段を備えたことを特徴とする画像形成装置。
【手続補正２】
【補正対象書類名】明細書
【補正対象項目名】０００９
【補正方法】変更
【補正の内容】
【０００９】
上記目的を達成するために、請求項１の発明は、像担持体と、前記像担持体にトナー像を形成するトナー像形成手段と、前記像担持体と対向する転写位置に被転写体を搬送する搬送手段と、前記像担持体に担持されたトナー像を前記被転写体上に転写する転写手段と、前記転写手段に転写バイアスを印加する転写バイアス印加手段と、前記被転写体上のトナー像を定着する定着手段と、を備えた画像形成装置であって、前記搬送手段は、前記転写位置の被転写体搬送方向の上流側から該転写位置にわたって前記被転写体の被転写面とは反対側の面を搬送部材で保持しながら該被転写体を搬送するように構成し、前記転写バイアス印加手段は、交流成分と直流成分とを含み極性が交互に切り替わる転写バイアスを印加し、前記搬送部材及び該搬送部材に保持された前記被転写体が前記転写位置において前記像担持体と非接触となるように構成した、ことを特徴とするものである。
【手続補正３】
【補正対象書類名】明細書
【補正対象項目名】０１０３
【補正方法】変更
【補正の内容】
【０１０３】
以上に説明したものは一例であり、本発明は、次の態様毎に特有の効果を奏する。
（態様Ａ）
中間転写ベルト３１などの像担持体と、画像形成ユニット１などのトナー像形成手段と、像担持体と対向する転写位置に被転写体Pを搬送する搬送手段と、像担持体に担持されたトナー像を被転写体Ｐ上に転写する２次転写ローラ３６，２次転写裏面ローラ３３などの転写手段と、転写手段に転写バイアスを印加する２次転写バイアス電源３９などの転写バイアス印加手段と、被転写体Ｐ上のトナー像を定着する定着装置９０などの定着手段と、を備えたカラープリンタなどの画像形成装置であって、搬送手段は、転写位置の被転写体搬送方向の上流側から転写位置にわたって被転写体Ｐの被転写面とは反対側の面を搬送部材で保持しながら被転写体Ｐを搬送するように構成し、転写バイアス印加手段は、交流成分と直流成分とを含み極性が交互に切り替わる転写バイアスを印加し、搬送部材及び搬送部材に保持された被転写体Ｐが転写位置において像担持体と非接触となるように構成した。
これによれば、上記実施形態１について説明したように、非接触転写方式を用いているので接触転写方式で生じる中抜け画像を防ぐことができる。また、転写バイアスの直流成分によりトナー粒子が像担持体から被転写体Ｐに移動しているときに、転写バイアスの交流成分によりトナーを振動させることができるので濃度ムラを防ぐことができる。しかも、被転写体Ｐは転写位置の被転写体搬送方向の上流側から転写位置にわたって被転写体Ｐの被転写面とは反対側の面を搬送部材で保持しながら搬送されるので、被転写体Ｐは転写バイアスの交流成分の影響を受けても振動することなく安定して搬送される。更に、被転写体Ｐが像担持体と接触しないため、部分的に厚さの異なる被転写体Ｐなど状態や形状等が互いに異なる様々な種類の被転写体Ｐにも良好にトナー像を転写することができる。よって、状態や形状等が互いに異なる様々な種類の被転写体Ｐを簡易な構成で安定して搬送し、中抜けや画像ムラのない良好な画像を形成することができる。
（態様Ｂ）
上記態様Ａにおいて、搬送手段は、転写位置の被転写体搬送方向の上流側から下流側にわたって被転写体Ｐの被転写面とは反対側の面を搬送部材で保持しながら被転写体Ｐを搬送するように構成した。
これによれば、上記実施形態１について説明したように、被転写体Ｐは、転写位置の被転写体搬送方向の上流側から下流側にわたって被転写体Ｐの被転写面とは反対側の面を搬送部材で保持しながら搬送される。よって、被転写体Ｐは転写バイアスの交流成分の影響を受けても振動することなくより安定して搬送される。
（態様Ｃ）
上記態様Ａ又はＢにおいて、搬送手段は、搬送部材に被転写体Ｐを接着させる容器４１、接着ローラ４２などの接着手段を有する。
これによれば、上記実施形態２について説明したように、被転写体Ｐは搬送部材に接着により保持されているので、被転写体Ｐは転写バイアスの交流成分の影響を受けても振動することなくより安定して搬送される。
（態様Ｄ）
上記態様Ａ又はＢにおいて、搬送手段は、搬送ベルト４０などの搬送部材としての無端ベルト状の転写搬送ベルトと、転写搬送ベルトに電荷を付与し被転写体Ｐを静電的に転写搬送ベルトに吸着させる静電吸着ローラ４７及び電源４８などの吸着手段と、を有する。
これによれば、上記実施形態６について説明したように、被転写体Ｐは転写搬送ベルトに静電的に吸着されて保持されるので、被転写体Ｐは転写バイアスの交流成分の影響を受けても振動することなく安定して搬送される。
（態様Ｅ）
上記態様Ａ乃至Ｄのいずれかにおいて、転写バイアス印加手段は、転写バイアスの極性が繰り返し反転するように、転写バイアスの交流成分の振幅と直流成分の電圧とを設定した。
これによれば、上記実施形態１について説明したように、転写バイアスの極性が繰り返し反転することにより、トナー像を構成するトナー粒子の振動が大きくなって、トナー粒子が像担持体から離れやすくなり、被転写体Ｐへの移動が促進されるので、被転写体上のトナー像の画像濃度が狙いの所定濃度より低くなる画像濃度不足を防止することができる。
（態様Ｆ）
上記態様Ｃ又はＥにおいて、接着手段は、搬送部材の被転写体Ｐを保持する表面に水やポリビニルアルコール系接着剤などの接着剤を塗布する容器４１、接着ローラ４２などの塗布手段を有する。
これによれば、上記実施形態１について説明したように、搬送部材の被転写体Ｐを保持する表面に接着剤を塗布することにより、被転写体Ｐと搬送部材との密着性を容易に向上させることができる。なお、接着剤として液体の接着剤を用いる場合、個体や粘性の大きい接着剤に比べて塗布しやすいので、搬送部材の表面にムラなく接着剤を塗布することができ、被転写体Ｐと搬送部材との密着性をより向上させることができる。
（態様Ｇ）
上記態様Ａ乃至Ｆのいずれかにおいて、被転写体として布１０２を用いる。
これによれば、上記実施形態５について説明したように、中抜け画像や濃度ムラを発生させることなく、像担持体上のトナー像を布１０２に転写することができ、画像形成装置の用途を広げることができる。
（態様Ｈ）
上記態様Ｄ、Ｅ又はＧにおいて、吸着手段は、転写搬送ベルトに接着して電荷を付与する鋸歯状の除電針などの接触型電荷付与部材である。
これによれば、上記実施形態６について説明したように、転写搬送ベルトに接触型電荷付与部材が接触し、転写搬送ベルトにムラなく安定して電荷を付与することができる。
（態様Ｉ）
上記態様Ｄ、Ｅ又はＧにおいて、吸着手段は、吸着チャージャ５０などの非接触の帯電チャージャである。
これによれば、上記実施形態６について説明したように、非接触の帯電チャージャを設けることにより、転写搬送ベルトを汚すことなく、転写搬送ベルトに電荷を付与することができる。
（態様Ｊ）
上記態様Ａ乃至Ｉのいずれかにおいて、転写位置の被転写体Ｐの搬送方向下流側に、搬送部材の除電を行う分離装置２００などの除電手段を備えた。
これによれば、上記実施形態６について説明したように、被転写体Ｐが転写搬送ベルトから離間する前に被転写体Ｐ及び転写搬送ベルトを除電することができ、被転写体Ｐが転写搬送ベルトからスムーズに離間し、分離不良による被転写体Ｐの詰まりを防止できる。